(57)【要約】【課題】製造に際して糊代部の接着のコストを必要とせずに、製造コストを低減でき、かつ、輸送コストや保管コストを低減することができる苗用トレーを提供する。【解決手段】苗用トレー５は、方形状の底板部１０と、底板部１０の各辺から折れ線を介して連設された４つの台形状の側板部２０、３０、４０、５０と、差込み片３２、３４、５２、５４とを有し、側板部２０には、切込み部２２、２４が設けられているとともに、側板部４０には、切込み部４２、４４が設けられ、また、差込み片３２、３４は、側板部３０の両側に連設され、差込み片５２、５４は、側板部５０の両側に連設されている。【選択図】図２
0003133864.tif 000002
【実用新案登録請求の範囲】
【請求項１】
苗を収納したポットを収納するための苗用トレーであって、
該苗用トレーが１枚のブランクにより形成され、
方形状の底板部と、
底板部の各辺から折れ線を介して連設された４つの台形状の側板部で、一方の相対する側板部においては、各側板部の横方向の両側に切込み部が設けられた側板部と、
該４つの側板部における他方の相対する側板部における各側板部の両側に折れ線を介して連設された差込み片と、
を有し、
苗用トレーの組立て状態においては、各差込みが、隣接する側板部の切込み部に挿通されることを特徴とする苗用トレー。
【請求項２】
上記切込み部が、縦方向に形成された縦方向切込み部と、縦方向切込み部の上端から内側に形成された横方向切込み部とを有し、全体に鉤状を呈し、上記差込み片が、略三角形状を呈する本体部と、該本体部の上辺の先端側から上方に突出した突出片部とを有することを特徴とする請求項１に記載の苗用トレー。
【請求項３】
上記差込み片における本体部が、該差込み片が連設された側板部との境界線である境界折れ線と、該差込み片が隣接する側板部との間の境界線である境界切込み部と、該境界折れ線の先端から境界切込み部の先端に向けて形成された辺部とにより囲まれた形状を呈することを特徴とする請求項２に記載の苗用トレー。
【請求項４】
上記突出片部が、三角形状を呈することを特徴とする請求項２又は３に記載の苗用トレー。
【請求項５】
上記側板部における底板部との境界位置から上端までの幅が、３５〜４０ｍｍであることを特徴とする請求項１又は２又は３又は４に記載の苗用トレー。
【考案の詳細な説明】
【技術分野】
【０００１】
本考案は、苗用のトレーに関するものであり、特に、野菜等の苗を販売する際に苗を入れたポットを収納するためのトレーに関するものである。
【背景技術】
【０００２】
従来より、大型小売り店舗等で野菜等の苗が販売されている。つまり、ビニル製のポット等の容器に土が入れられ、その土に苗が植えられた状態で販売されているのが通常である。
【０００３】
そして、この苗の購入者が苗を持ち帰る際に、図４に示すようなトレー１０５に苗を入れて持ち帰る方法がとられていた。
【０００４】
すなわち、トレー１０５は、１枚のシート状のブランクにより形成され、底板部１１０と、側板部１２０、１３０、１４０、１５０とを有している。ここで、底板部１１０は、長方形状の板状を呈していて、側板部１２０〜１５０は、底板部１１０の各辺から連設して形成されている。側板部１２０は、底板部１１０の一方の長辺の折れ線を介して連設され、台形状の板状を呈していて、その両側には、台形状の糊代部１２２が折れ線を介して連設されている。この糊代部１２２は、側板部１３０、１５０に接着されている。また、側板部１３０は、底板部１１０の一方の短辺の折れ線を介して連設され、台形状の板状を呈している。この側板部１３０には、切込み部が形成されていて、片部１３２を回動させることにより開口部１３４が形成されるようになっている。また、側板部１４０は、側板部１２０とは対称に形成されていて、底板部１１０の他方の長辺の折れ線を介して連設され、台形状の板状を呈していて、その両側には、台形状の糊代部１４２が折れ線を介して連設されている。この糊代部１４２は、側板部１３０、１５０に接着されている。また、側板部１５０は、側板部１３０と対称に形成されていて、底板部１１０の他方の短辺の折れ線を介して連設され、台形状の板状を呈している。この側板部１５０には、切込み部が形成されていて、片部１５２を回動させることにより開口部１５４が形成されるようになっている。また、図４に示すトレー１０５の高さは７〜８ｃｍに形成されている。
【０００５】
上記の構成のトレー１０５を苗の購入の際に使用する際には、いわゆるレジ袋の内底面にトレー１０５を設置し、そのトレー１０５内に購入した苗を並べて、レジ袋内に苗を収納する。このようにすることにより、苗を水平方向に並べた状態で収納することができ、ポットに入れられた土や苗が損傷することがないようにしている。
【０００６】
なお、出願人は、先行技術文献として以下の特許文献を知得している。
【特許文献１】特開平６−１１３６７９号公報
【考案の開示】
【考案が解決しようとする課題】
【０００７】
しかし、図４に示す従来の苗用トレーの場合には、糊代部を隣接する側板部に接着することにより側板部が立設した状態となるので、予め製造段階で糊代部を接着しておく必要があり、販売店舗に苗用トレーを納入する際には、上記のように糊代部を接着して組み立てた状態にしなければならない。
【０００８】
すると、トレーの製造に際して、糊代部の接着の工程は不可欠であり、糊代部の接着のコストが必須となってしまう。
【０００９】
また、図４に示す苗用トレーを積み重ねることができるとしても、側壁部が立設した状態となっているので、輸送の際や店舗における保管に際しても大きなスペースを必要とし、輸送コストや保管コストが大きくなってしまう。
【００１０】
そこで、本考案は、製造に際して糊代部の接着のコストを必要とせずに、製造コストを低減でき、かつ、輸送コストや保管コストを低減することができる苗用トレーを提供することを目的とするものである。
【課題を解決するための手段】
【００１１】
本考案は上記問題点を解決するために創作されたものであって、第１には、苗を収納したポットを収納するための苗用トレーであって、該苗用トレーが１枚のブランクにより形成され、方形状の底板部と、底板部の各辺から折れ線を介して連設された４つの台形状の側板部で、一方の相対する側板部においては、各側板部の横方向の両側に切込み部が設けられた側板部と、該４つの側板部における他方の相対する側板部における各側板部の両側に折れ線を介して連設された差込み片と、を有し、苗用トレーの組立て状態においては、各差込みが、隣接する側板部の切込み部に挿通されることを特徴とする。
【００１２】
この第１の構成の苗用トレーにおいては、一方の一対の相対する側板部に切込み部が設けられ、また、他方の一対の側板部の両側に差込み片が設けられているので、隣接する側板部を底板部に対して立設した状態で、差込み片を対応する切込み部に挿通することにより、各側板部の立設状態が固定され、苗用トレーを組み立てることができる。本発明の苗用トレーにおいては、苗用トレーを使用する際に組み立てればよく、輸送や保管に際して展開状態で輸送、保管を行うことができるので、輸送や保管に余分なスペースを必要とせず、輸送コストや保管コストを低減することができる。また、苗用トレーの組立てに際して、差込み片を切込み部に挿通して組み立てる構成であるので、苗用トレーの製造に際して接着工程を必要とせず、製造コストを低減することが可能となる。
【００１３】
また、第２には、上記第１の構成において、上記切込み部が、縦方向に形成された縦方向切込み部と、縦方向切込み部の上端から内側に形成された横方向切込み部とを有し、全体に鉤状を呈し、上記差込み片が、略三角形状を呈する本体部と、該本体部の上辺の先端側から上方に突出した突出片部とを有することを特徴とする。よって、差込み片を切込み部に挿通した際には、差込み片の突出片部が切込み部の横方向切込み部に係止するので、差込み片を切込み部が設けられた側板部に確実に固定され、苗用トレーの組立て状態を維持することができる。
【００１４】
また、第３には、上記第２の構成において、上記差込み片における本体部が、該差込み片が連設された側板部との境界線である境界折れ線と、該差込み片が隣接する側板部との間の境界線である境界切込み部と、該境界折れ線の先端から境界切込み部の先端に向けて形成された辺部とにより囲まれた形状を呈することを特徴とする。
【００１５】
また、第４には、上記第２又は第３の構成において、上記突出片部が、三角形状を呈することを特徴とする。
【００１６】
また、第５には、上記第１から第４までのいずれかの構成において、上記側板部における底板部との境界位置から上端までの幅が、３５〜４０ｍｍであることを特徴とする。よって、組立て状態の苗用トレーの高さが従来よりも低く形成されているので、苗用トレーを容易にレジ袋内に入れることができる。
【００１７】
なお、上記第１〜第５の構成の苗用トレーは、紙製、特に、段ボール製であるのが好ましい。
【考案の効果】
【００１８】
本考案に基づく苗用トレーによれば、輸送や保管に際して展開状態で輸送、保管を行うことができるので、輸送や保管に余分なスペースを必要とせず、輸送コストや保管コストを低減することができる。また、苗用トレーの組立てに際して、差込み片を切込み部に挿通して組み立てる構成であるので、苗用トレーの製造に際して接着工程を必要とせず、製造コストを低減することが可能となる。
【考案を実施するための最良の形態】
【００１９】
本考案においては、製造に際して糊代部の接着のコストを必要とせずに、製造コストを低減でき、かつ、輸送コストや保管コストを低減することができる苗用トレーを提供するという目的を以下のようにして実現した。
【００２０】
本実施例の苗用トレー５は、図１、図２に示すように構成され、１枚のシート状のブランク（具体的には、段ボール（好ましくはＥ段の段ボール）製のブランク）により形成されていて、底板部１０と、側板部２０と、側板部３０と、差込み片３２と、差込み片３４と、側板部４０と、側板部５０と、差込み片５２と、差込み片５４とを有している。なお、図２において、実線は、輪郭線又は切込み線を示し、一点鎖線は、谷折り線を示している。
【００２１】
ここで、底板部１０は、長方形状の板状を呈していて、組立時には苗用トレーの底部を形成する。
【００２２】
また、側板部２０〜５０における各側板部は、底板部１０の各辺から連設されている。側板部２０は、底板部１０の一方の長辺の折れ線を介して連設され、台形状（具体的には上方にいくほど幅が広くなる等脚台形形状）の板状を呈している。この側板部２０の両側には、差込み片５２を差し込むための切込み部２２と、差込み片３２を差し込む切込み部２４とが設けられている。この切込み部２２は、略鉤状を呈していて、底板部１０と側板部２０との境界の折れ線位置から上方に形成された縦方向切込み部２２ａと、該縦方向切込み部２２ａの上端から内側の横方向に形成された横方向切込み部２２ｂとから形成されている。また、切込み部２４は、切込み部２２と対称に形成されていて、略鉤状を呈している。すなわち、切込み部２４は、底板部１０と側板部２０との境界の折れ線位置から上方に形成された縦方向切込み部２４ａと、該縦方向切込み部２４ａの上端から内側の横方向に形成された横方向切込み部２４ｂとから形成されている。
【００２３】
また、側板部３０は、底板部１０の一方の短辺の折れ線を介して連設され、台形状（具体的には上方にいくほど幅が広くなる等脚台形形状）の板状を呈している。
【００２４】
また、差込み片３２は、側板部３０の側板部２０側の側端から折れ線を介して連設され、略三角形状の本体部３２ａと、本体部３２ａの上辺の先端側から突出した突出片部３２ｂとを有している。
【００２５】
すなわち、本体部３２ａは、苗用トレー５の展開状態においては、図２に示すように、側板部３０との境界線（すなわち、折れ線）Ｋ１１（境界折れ線）と、側板部２０との境界線（すなわち、切込み線）Ｋ１２（境界切込み部）と、境界線Ｋ１１の先端（外側の先端）から境界線Ｋ１２の先端方向に伸びた辺部（境界折れ線の先端から境界切込み部の先端に向けて形成された辺部）とにより囲まれた形状を呈している。このように、差込み片３２と側板部２０とは切込み線Ｋ１２により区画されている。
【００２６】
また、突出片部３２ｂは、本体部３２ａの上辺の先端側から上方に突出して形成され、略三角形状に形成されている。差込み片３２にこの突出片部３２ｂが設けられていることにより、差込み片３２を切込み部２４に挿通した際に、この突出片部３２ｂが切込み部２４の横方向切込み部２４ｂに係止するようになっている。
【００２７】
また、差込み片３４は、差込み片３２と対称に形成されている。つまり、差込み片３４は、図２におけるＸ１−Ｘ２方向の中心線を介して差込み片３２と線対称に形成されている。すなわち、差込み片３４は、側板部３０の側板部４０側の側端から折れ線を介して連設され、略三角形状の本体部３４ａと、本体部３４ａの上辺の先端側から突出した突出片部３４ｂとを有している。
【００２８】
すなわち、本体部３４ａは、苗用トレー５の展開状態においては、図２に示すように、側板部３０との境界線（すなわち、折れ線）Ｋ２１（境界折れ線）と、側板部４０との境界線（すなわち、切込み線）Ｋ２２（境界切込み部）と、境界線Ｋ２１の先端（外側の先端）から境界線Ｋ２２の先端方向に伸びた辺部（境界折れ線の先端から境界切込み部の先端に向けて形成された辺部）とにより囲まれた形状を呈している。このように、差込み片３４と側板部４０とは切込み線Ｋ２２により区画されている。
【００２９】
また、突出片部３４ｂは、本体部３４ａの上辺の先端側から上方に突出して形成され、略三角形状に形成されている。差込み片３４にこの突出片部３４ｂが設けられていることにより、差込み片３４を切込み部４４に挿通した際に、この突出片部３４ｂが切込み部４４の横方向切込み部４４ｂに係止するようになっている。
【００３０】
また、側板部４０は、側板部２０と対称に形成されている。つまり、側板部４０は、図２におけるＸ１−Ｘ２方向の中心線を介して側板部２０と線対称に形成されている。すなわち、側板部４０は、底板部１０の他方の長辺の折れ線を介して連設され、台形状（具体的には上方にいくほど幅が広くなる等脚台形形状）の板状を呈している。この側板部４０の両側には、差込み片５４を差し込むための切込み部４２と、差込み片３４を差し込む切込み部４４とが設けられている。この切込み部４２は、略鉤状を呈していて、底板部１０と側板部４０との境界の折れ線位置から上方に形成された縦方向切込み部４２ａと、該縦方向切込み部４２ａの上端から内側の横方向に形成された横方向切込み部４２ｂとから形成されている。また、切込み部４４は、切込み部４２と対称に形成されていて、略鉤状を呈している。すなわち、切込み部４４は、底板部１０と側板部４０との境界の折れ線位置から上方に形成された縦方向切込み部４４ａと、該縦方向切込み部４４ａの上端から内側の横方向に形成された横方向切込み部４４ｂとから形成されている。
【００３１】
また、側板部５０は、側板部３０と対称に形成されている。つまり、側板部５０は、図２におけるＹ１−Ｙ２方向の中心線を介して側板部３０と線対称に形成されている。すなわち、側板部５０は、底板部１０の他方の短辺の折れ線を介して連設され、台形状（具体的には上方にいくほど幅が広くなる等脚台形形状）の板状を呈している。
【００３２】
また、差込み片５２は、側板部５０の側板部２０側の側端から折れ線を介して連設され、略三角形状の本体部５２ａと、本体部５２ａの上辺の先端側から突出した突出片部５２ｂとを有している。
【００３３】
すなわち、本体部５２ａは、苗用トレー５の展開状態においては、図２に示すように、側板部５０との境界線（すなわち、折れ線）Ｋ４１（境界折れ線）と、側板部２０との境界線（すなわち、切込み線）Ｋ４２（境界切込み部）と、境界線Ｋ４１の先端（外側の先端）から境界線Ｋ４２の先端方向に伸びた辺部（境界折れ線の先端から境界切込み部の先端に向けて形成された辺部）とにより囲まれた形状を呈している。このように、差込み片５２と側板部２０とは切込み線Ｋ４２により区画されている。
【００３４】
また、突出片部５２ｂは、本体部５２ａの上辺の先端側から上方に突出して形成され、略三角形状に形成されている。差込み片５２にこの突出片部５２ｂが設けられていることにより、差込み片５２を切込み部２２に挿通した際に、この突出片部５２ｂが切込み部２２の横方向切込み部２２ｂに係止するようになっている。
【００３５】
また、差込み片５４は、差込み片５２と対称に形成されている。つまり、差込み片５４は、図２におけるＸ１−Ｘ２方向の中心線を介して差込み片５２と線対称に形成されている。すなわち、差込み片５４は、側板部５０の側板部４０側の側端から折れ線を介して連設され、略三角形状の本体部５４ａと、本体部５４ａの上辺の先端側から突出した突出片部５４ｂとを有している。
【００３６】
すなわち、本体部５４ａは、苗用トレー５の展開状態においては、図２に示すように、側板部５０との境界線（すなわち、折れ線）Ｋ３１（境界折れ線）と、側板部４０との境界線（すなわち、切込み線）Ｋ３２（境界切込み部）と、境界線Ｋ３１の先端（外側の先端）から境界線Ｋ３２の先端方向に伸びた辺部（境界折れ線の先端から境界切込み部の先端に向けて形成された辺部）とにより囲まれた形状を呈している。このように、差込み片５４と側板部４０とは切込み線Ｋ３２により区画されている。
【００３７】
また、突出片部５４ｂは、本体部５４ａの上辺の先端側から上方に突出して形成され、略三角形状に形成されている。差込み片５４にこの突出片部５４ｂが設けられていることにより、差込み片５４を切込み部４２に挿通した際に、この突出片部５４ｂが切込み部４２の横方向切込み部４２ｂに係止するようになっている。
【００３８】
また、各側板部２０、３０、４０、５０の幅Ｓは、３５〜４０ｍｍ（好適には、３８ｍｍ）であり、図４に示す従来の苗用トレー１０５よりも側面の高さを低く形成している。
【００３９】
なお、上記構成の苗用トレー５の折れ線の位置には、予め罫線を形成しておくのが好ましい。すなわち、折り曲げを容易とするために、予め折り曲げ用の罫線を形成しておくのが好ましい。
【００４０】
上記構成の苗用トレー５の使用状態について説明する。苗用トレー５の製造場所において、図２に示す構成の苗用トレー５を製造したら、これを展開状態のままで販売店舗に納入する。つまり、苗用トレー５をシート状のままで納入する。また、販売店舗においても、苗用トレー５を保管する場合には、展開状態のままで苗用トレー５を保管する。  そして、販売店舗において苗用トレー５を使用する際に、苗用トレー５を組み立てて使用する。例えば、販売店舗のレジに展開状態のままで苗用トレー５を準備しておき、顧客が購入する際に苗用トレー５を組み立てる。
【００４１】
苗用トレー５の組立てに際しては、隣接する側板部を底板部１０に対して立設した状態として、差込み片を対応する切込み部に挿通する。例えば、側板部２０と側板部３０とを底板部１０に対して立設した状態で、差込み片３２を切込み部２４に挿通させ、また、側板部３０と側板部４０とを底板部１０に対して立設した状態で、差込み片３４を切込み部４４に挿通させ、また、側板部４０と側板部５０とを底板部１０に対して立設した状態で、差込み片５４を切込み部４２に挿通させ、また、側板部５０と側板部２０とを底板部１０に対して立設した状態で、差込み片５２を切込み部２２に挿通させる。なお、図１に示すように、各差込み片は、隣接する側板部の外側から切込み部に挿通して、差込み片の先端は、側板部の内側に出るようにする。
【００４２】
すると、各差込み片の突出片部が、切込み部における横方向切込み部に係止することにより、差込み片が、該差込み片が挿通した切込み部が設けられた側板部に確実に固定され、各側板部２０〜５０の立設状態が固定される。以上のように、差込み片を対応する切込み部に挿通することにより、苗用トレー５が組み立てられる。なお、差込み片を対応する切込み部に挿通するのみで苗用トレー５を組立てできるので、組立ては容易であり、レジにおいて組立て作業をする場合にも時間を掛けることなく組み立てることができる。
【００４３】
なお、各差込み片は、隣接する側板部の外側から切込み部に挿通して、差込み片の先端は、側板部の内側に出るようにするとして説明したが、各差込み片は、隣接する側板部の内側から切込み部に挿通して、差込み片の先端は、側板部の外側に出るようにしてもよい。
【００４４】
苗用トレー５を組み立てたら、苗用トレー５をレジ袋の内底面に設置して、苗用トレー５に苗を収納する。苗用トレー５に苗を収納した状態は、図３に示すようになり、苗６０と土６２とを収納したポット６４を苗用トレー５の内底面に載置して収納することができる。このポット（鉢としてもよい）６４は、例えば、ビニル製である。
【００４５】
以上のように、本実施例の苗用トレー５においては、苗用トレー５の輸送や保管に際して、展開状態で輸送、保管を行うことができるので、輸送や保管に余分なスペースを必要とせず、輸送コストや保管コストを低減することができる。
【００４６】
また、苗用トレー５の組立てに際して、差込み片を切込み部に挿通して組み立てる構成であるので、苗用トレー５の製造に際して、接着工程を必要とせず、よって、製造コストを低減することが可能となる。
【００４７】
また、苗用トレー５は、その側板部の幅が上記のように３５〜４０ｍｍに形成されていて、組立て状態の苗用トレー５の高さが従来よりも低く形成されているので、苗用トレー５をレジ袋内に入れる際に、従来の構成（図４）に比べて容易にレジ袋内に入れることができる。
【図面の簡単な説明】
【００４８】
【図１】本発明の実施例に基づく苗用トレーの組立て状態を示す斜視図である。
【図２】本発明の実施例に基づく苗用トレーの組立て状態を示す展開図である。
【図３】本発明の実施例に基づく苗用トレーの使用状態を示す斜視図である。
【図４】従来における苗用トレーの構成を示す斜視図である。
【符号の説明】
【００４９】
５、１０５  苗用トレー
１０、１１０  底板部
２０、３０、４０、５０、１２０、１３０、１４０、１５０  側板部
２２、２４、４２、４４  切込み部
２２ａ、２４ａ、４２ａ、４４ａ  縦方向切込み部
２２ｂ、２４ｂ、４２ｂ、４４ｂ  横方向切込み部
３２、３４、５２、５４  差込み片
３２ａ、３４ａ、５２ａ、５４ａ  本体部
３２ｂ、３４ｂ、５２ｂ、５４ｂ  突出片部
【図１】
0003133864.tif 000003
【図２】
0003133864.tif 000004
【図３】
0003133864.tif 000005
【図４】
0003133864.tif 000006